(57)【要約】【課題】  本体枠内に展示物が納められる額縁において、当該額縁の設置形態によらず展示物の装飾効果を高めるのに有効な技術を提供する。【解決手段】  額縁１００の飾り台１２０は、本体枠１００側に形成された回動支点１１４を中心に下方または上方に回転動作可能に構成されるとともに、ネジ部材１２８を介して本体枠側１００に止着される構成であり、当該ネジ部材１２８のネジ込み動作またはネジ戻し動作によって回動支点１１４を中心に下方または上方に回転動作し、これにより本体枠１００の延在面に対する延出角度θが可変とされるように構成されている。【選択図】      図３
2006026090.tif 000002
【特許請求の範囲】
【請求項１】
本体枠内に展示物が納めされる本体枠と、
前記本体枠の前面側から当該本体枠の延在面と交差する方向に延出するとともに、装飾物が載置される載置面を有する板状の飾り台と、
前記本体枠の延在面に対する前記飾り台の延出角度を可変とする延出角度可変手段と、を備えることを特徴とする額縁。
【請求項２】
請求項１に記載の額縁であって、
前記飾り台は、本体枠側に形成された回動支点を中心に下方または上方に回転動作可能に構成されるとともに、前記延出角度可変手段としてのネジ部材を介して本体枠側に止着される構成であり、前記ネジ部材のネジ込み動作またはネジ戻し動作によって前記回動支点を中心に下方または上方に回転動作し、これにより前記本体枠の延在面に対する延出角度が可変とされることを特徴とする額縁。
【請求項３】
請求項１または２に記載の額縁であって、
前記本体枠の本体枠内に納められた展示物の前面側を閉鎖した閉鎖状態、または当該展示物の前面側を開放した開放状態を形成可能な開閉扉を備えることを特徴とする額縁。
【発明の詳細な説明】
【技術分野】
【０００１】
本発明は、本体枠内に各種の展示物が納められる額縁の構築技術に関するものである。
【背景技術】
【０００２】
従来、各種の展示物を本体枠内に納める構成の額縁が知られており、例えば、特許文献１には、遺影、書画、賞状等の展示物を本体枠内に納めるとともに、当該展示物の周囲に装飾を施した構成の額縁が開示されている。また、額縁の本体枠に、展示物装飾用の装飾物を載置可能な飾り台を設け、この飾り台に装飾物を載置することによって、本体枠内に納められた展示物を立体的に装飾することを可能とする構成が知られている。
ところで、この種の額縁は、主には壁に吊るして使用され、場合によっては壁に立て掛けて使用される。額縁を壁に吊るして使用する際には、人の水平の目線位置よりも上方の位置において、本体枠が壁の鉛直面に対し若干前倒しとなるように額縁を設置するのが一般的である。一方、額縁を壁に立て掛けて使用する際には、本体枠が壁の鉛直面に対し若干後倒しとなるように額縁を設置するのが一般的である。このような設置形態が想定される額縁において、額縁の本体枠に上記のような飾り台を固定状に設けると、額縁の設置形態が変わることにより飾り台の載置面の水平度合いが変化することとなり、飾り台本来の目的を全うできないという問題が生じる。具体的には、額縁を壁に吊るして使用する場合と、額縁を壁に立て掛けて使用する場合では、本体枠の延在方向が変わるため、本体枠に固定状に設けられた飾り台の載置面の水平を、両設置形態において維持することはできない。また、例えば額縁を壁に吊るして使用する際、額物の吊るし方や吊るし場所によっては本体枠の延在方向が多少変化することがあるため、場合によっては飾り台の載置面が傾斜するおそれがある。そこで、特に展示物装飾用の装飾物を載置可能な飾り台を備える額縁においては、その設置形態を考慮した構成が要請される。
【特許文献１】特開２００３−２４６１９９号公報
【発明の開示】
【発明が解決しようとする課題】
【０００３】
本発明はかかる点に鑑みてなされたものであり、本体枠内に展示物が納められる額縁において、当該額縁の設置形態によらず展示物の装飾効果を高めるのに有効な技術を提供することを課題とする。
【課題を解決するための手段】
【０００４】
前記課題を解決するために、各請求項に記載の発明が構成される。
【０００５】
（本発明の第１発明）
前記課題を解決する本発明の第１発明は、請求項１に記載されたとおりの額縁である。請求項１に記載の額縁は、本体枠、飾り台、延出角度可変手段を少なくとも備える。
本発明の本体枠は、その本体枠内に展示物が納めされるように構成される。ここでいう「展示物」には、本体枠の奥行き方向の幅内に納めることが可能な大きさのものが広く包含され、典型的には、本体枠の奥行き方向に対応した厚みが小さい二次元的な構成の絵画、書画、写真、遺影、色紙、賞状、カレンダーなどを本発明の展示物として用いる。
本発明の飾り台は、本体枠の前面側から当該本体枠の延在面と交差する方向に延出するとともに、装飾物が載置される載置面を有する板状の飾り台として構成される。ここでいう「装飾物」として、典型的には本体枠内に納められた展示物に関連した装飾物を用いる。これにより、載置面に置かれたこの装飾物によって、本体枠内に納めされた展示物の装飾効果を高めることが可能となる。
本発明の延出角度可変手段は、本体枠の延在面に対する飾り台の延出角度を可変とする機能を有する手段として構成される。これにより、本体枠の延在面に対する飾り台の延出角度が延出角度可変手段によって変更される。本体枠の延在方向は、額縁を壁に吊るしたり、壁に立て掛けたりするような設置形態の違いによって変化するため、本体枠の延在面に対する飾り台の延出角度を変更することができないと、額縁の設置形態が限られたものになる。そこで、本発明では、額縁に延出角度可変手段を設け、本体枠の延在面に対する飾り台の延出角度を、この延出角度可変手段によって変更することができるようにしたのである。
【０００６】
請求項１に記載の額縁の上記構成によれば、額縁の設置形態によらず展示物の装飾効果を高めることが可能となる。具体的には、額縁を壁に吊るして使用したり、壁に立て掛けて使用することが想定される場合であっても、延出角度可変手段を介して飾り台の載置面の水平度合いを調節することによって載置面の水平を維持することができる。また、例えば額縁を壁に吊るして使用する際、額物の吊るし方や吊るし場所によっては本体枠の延在方向が多少変化することがあるが、このような場合であっても、延出角度可変手段を介して飾り台の載置面の水平度合いを調節することによって載置面の水平を維持することができる。従って、額縁の設置形態によらず、水平が維持された飾り台の載置面に装飾物を安定的に飾り付けることが可能となる。
【０００７】
なお、本発明において「延出角度可変手段」は、本体枠の延在面に対する飾り台の延出角度を変更する機能を有していれば足り、その構成は必要に応じて適宜選択可能である。具体的には、飾り台を、本体枠側に形成された回動支点を中心に下方または上方に回転動作可能としたうえで、回転動作位置の異なる複数箇所において当該飾り台の回転動作を固定することができるような第１の構成や、飾り台を、本体枠側に形成された複数の差込み部に差込み可能としたうえで、当該飾り台の差込み箇所を変えることによって飾り台の延出角度が変更されるような第２の構成などを採り得る。
【０００８】
（本発明の第２発明）
前記課題を解決する本発明の第２発明は、請求項２に記載されたとおりの額縁である。請求項２に記載の額縁では、請求項１に記載の飾り台が、本体枠側に形成された回動支点を中心に下方または上方に回転動作可能に構成されるとともに、延出角度可変手段としてのネジ部材を介して本体枠側に止着される構成になっている。また、飾り台は、ネジ部材のネジ込み動作またはネジ戻し動作によって回動支点を中心に下方または上方に回転動作し、これにより本体枠の延在面に対する延出角度が可変とされるようになっている。本発明における「ネジ部材」として、典型的には本体枠側のナット部分に螺合可能なボルトや、本体枠側に直接的にネジ込まれるネジ釘を用いることができる。
請求項２に記載の額縁の上記構成によれば、飾り台を本体枠側に止着するネジ部材を用いて延出角度可変手段を構成するため、延出角度可変手段の構造が簡素化されることとなり合理的である。
【０００９】
（本発明の第３発明）
前記課題を解決する本発明の第３発明は、請求項３に記載されたとおりの額縁である。請求項３に記載の額縁は、請求項１または請求項２に記載の構成において、更に開閉扉を備える。この開閉扉は、本体枠の本体枠内に納められた展示物の前面側を閉鎖した閉鎖状態、または当該展示物の前面側を開放した開放状態を形成可能な機能を有する開閉扉として構成される。開閉扉が閉鎖状態を形成すると、当該開閉扉によって展示物の前面側が被覆される一方、開閉扉が開放状態を形成すると、当該開閉扉による展示物の被覆が解除されることとなる。これにより、展示物の展示の必要性に応じて開閉扉の開閉状態を変えることが可能となる。
請求項３に記載の額縁の上記構成によれば、本体枠内に展示を必要とする場合と必要としない場合が想定されるような展示物を、本体枠内に納めるような場合に特に効果的である。
【００１０】
なお、本発明において「開閉扉」は、展示物の前面側を閉鎖した閉鎖状態と、当該展示物の前面側を開放した開放状態を形成する機能を有していれば足り、その構成は必要に応じて適宜選択可能である。具体的には、扉部材が所定の回動支点を中心に回転動作することによって開閉が行われる回転式扉や、扉部材の折り畳み動作または折り戻し動作によって開閉が行われる折り畳み式扉や、扉部材の巻き取り動作または巻き戻し動作によって開閉が行われる巻き取り式扉などを用いて、本発明の開閉扉を構成することができる。
【発明の効果】
【００１１】
本発明によれば、本体枠内に展示物が納められる額縁において、特に本体枠の延在面に対する飾り台の延出角度を可変とする構成を採用することによって、当該額縁の設置形態によらず展示物の装飾効果を高めることが可能とされる。
【発明を実施するための最良の形態】
【００１２】
以下に、本発明の一実施の形態を図面を参照しつつ詳細に説明する。なお、本実施の形態は、本発明の好ましい一実施の形態を説明するためのものであって、これにより本発明が制限されるものではない。
【００１３】
本発明の「額縁」の一実施の形態である額縁１００の正面図が図１に示され、図１中の当該額縁１００の分解斜視図が図２に示される。
【００１４】
図１及び図２に示すように、本実施の形態の額縁１００は、本体枠１１０と、この本体枠１１０に組み込まれる飾り台１２０、内枠１３０、扉枠１４０、展示物保持板１５０、裏板１６０とに大別される。本体枠１１０に組み込まれるこれら各組み込み部材は、額縁１００の前面から、飾り台１２０、内枠１３０、扉枠１４０、展示物保持板１５０、裏板１６０の順で配置される。
【００１５】
本体枠１１０は、四角形の枠状に形成され窓状の本体枠開口１１２を有する。この本体枠１１０は、典型的には木質材料や樹脂材料によって構成される。この本体枠１１０に展示物保持板１５０が組み込まれることによって、展示物保持板１５０に保持された展示物１５１が本体枠内に納められることとなり、この本体枠１１０が本発明における「本体枠」に対応している。
【００１６】
内枠１３０は、本体枠１１０の本体枠開口１１２よりも開口面積の小さい窓状の内枠開口１３２を有する板状の部材である。また、この内枠１３０は、その下縁部に下方側が開口した切り欠き部１３４を備え、この切り欠き部１３４は、飾り台１２０の後述する挿入片１２２を挿入可能な大きさに形成されている。
【００１７】
飾り台１２０は、本体枠１１０の前面側から当該本体枠１１０の延在面と交差する方向に延出する板状の部材である。この飾り台１２０はその上面に載置面１２０ａを有し、この載置面１２０ａには左右一対の有底状の凹み部１２４，１２４が設けられている。典型的には、この飾り台１２０の載置面１２０ａの各部位に、後述する展示物１５１を装飾する装飾物１８０が載置される。特に、凹み部１２４の形状を所望の装飾物に対応した形状とし、当該装飾物を凹み部１２４内に載置することによって、当該装飾物は凹み部１２４の外壁部分によって囲まれることとなり、当該装飾物を載置面１２０ａに安定的に載置することが可能とされる。この飾り台１２０が本発明における「飾り台」に対応しており、この飾り台１２０の載置面１２０ａが本発明における「載置面」に対応している。
【００１８】
また、この飾り台１２０は、背面側へ突出する挿入片１２２を備える。本体枠１１０に組み込まれた状態の内枠１３０の切り欠き部１３４に挿入片１２２を挿入することによって、本体枠１１０に対する飾り台１２０の左右方向（図１中の左右方向）への移動が規制される。更に、この飾り台１２０は、挿入片１２２において上下方向（図１中の上下方向）に貫通する貫通孔１２２ａを備える。この貫通孔１２２ａは、その内径が後述するネジ部材１２８の軸径よりも大きい構成を有しており、当該貫通孔１２２ａに挿設したネジ部材１２８を本体枠１１０にネジ込むことによって、本体枠１１０に対する飾り台１２０の上下方向（図１中の上下方向）への移動が規制される。これにより、飾り台１２０が本体枠１１０に止着されることとなる。
【００１９】
扉枠１４０は、枠状部材１４２に左右両開き式の開閉扉１４５，１４５を備える。詳細については後述するが、これら開閉扉１４５，１４５の開放操作または閉鎖操作を行うことによって、開閉扉１４５の背面側を閉鎖した（被覆した）閉鎖状態と、開閉扉１４５の背面側を開放した開放状態が形成される。この開閉扉１４５，１４５が、本発明における「開閉扉」に対応している。開閉扉１４５，１４５が開放状態に設定されると、当該開閉扉１４５，１４５の背面側に配置された展示物保持板１５０の前面が、内枠開口１３２及び本体枠開口１１２を通じて視認可能となり、従ってこの展示物保持板１５０の前面に保持された展示物１５１が視認可能となる。一方、開閉扉１４５，１４５が閉鎖状態に設定されると、展示物１５１が視認不能となる。なお、この展示物１５１は、典型的には、展示物保持板１５０と透明樹脂製のフィルム（図示省略）との間に挟み込まれることによって保持される。この透明樹脂製のフィルムは、展示物１５１保護の見地より、板厚のある透明樹脂製やガラス製の板材等の部材によって適宜代替してもよい。この結果、本実施の形態においては、額縁１００を観る者の側からみて、閉じた状態の開閉扉１４５，１４５、透明樹脂製のフィルム（透明樹脂製やガラス製の板材によって代替可能）、展示物１５１の順に配設されることとなり、開閉扉１４５，１４５の開閉操作に際し当該開閉扉１４５，１４５と透明樹脂製のフィルムとが干渉することがない。
【００２０】
本実施の形態の展示物１５１として、典型的には、本体枠１１０の奥行き方向に対応した厚みが小さい二次元的な構成の絵画、書画、写真、遺影、色紙、賞状、カレンダーなどが適宜選択される。また、このとき、展示物１５１を装飾するべく、当該展示物１５１に対応して飾り台１２０の載置面１２０ａに飾り付ける装飾物１８０は、必要に応じて適宜選択可能である。一例として、展示物１５１が仏教に関する展示物（絵画、書画、写真、遺影、色紙、賞状、カレンダーなど）である場合には、装飾物１８０として、高杯、燭台、香炉、花立て、仏飯器などの仏具を、飾り台１２０の載置面１２０ａに飾り付けることができる。
【００２１】
裏板１６０は、本体枠１１０に組み込まれた内枠１３０、扉枠１４０及び展示物保持板１５０を裏面から覆うように構成される。この裏板１６０は、本体枠１１０の裏面に設けられた止め具（後述する止め具１１８）によって、本体枠１１０に対して保持されるようになっている。
【００２２】
図３には、図１中の額縁１００のＡ−Ａ線における断面構造が示される。ここでは、上記飾り台１２０の詳細な構成を、図３を参照しながら説明する。
【００２３】
図３に示すように、飾り台１２０の挿入片１２２は、ネジ部材１２８を挿設可能な貫通孔１２２ａを有する。一方、本体枠１１０は、その枠下部にネジ部材１２８が螺合する螺合孔１１６を有する。すなわち、ネジ部材１２８は、ボルトとしての機能を果たす一方、螺合孔１１６は、その内壁面にネジ部材１２８のネジ山に対応したネジ溝を有するナットとしての機能を果たす。挿入片１２２の貫通孔１２２ａに挿設された状態のネジ部材１２８が、本体枠１１０の螺合孔１１６に螺合するように下向きにネジ込まれることによって、飾り台１２０が本体枠１１０に止着される。これにより、飾り台１２０の自重及び載置面１２０ａに飾り付けられた装飾物の重量によって、回動支点１１４を中心にして図３中の矢印２２方向へ回転動作しようとする飾り台１２０の動作が阻止される。
【００２４】
また、本実施の形態では、飾り台１２０を本体枠１１０に止着するべくある程度ネジ込んだネジ部材１２８を、更に図３中の矢印１０方向へネジ込む操作によって、飾り台１２０が、本体枠１１０の枠下部の回動支点１１４（本発明における「回動支点」に対応）を中心として、図３中の矢印１２方向へ回転動作するように構成されている。反対に、当該ネジ部材１２８を図３中の矢印１２方向へネジ戻す操作によって、飾り台１２０が、回動支点１１４を中心として図３中の矢印２２方向へ回転動作するように構成されている。これにより、額縁１００の本体枠１１０の延在面に対する飾り台１２０の延出角度θが調節可能とされる。すなわち、本実施の形態のネジ部材１２８は、飾り台１２０を本体枠１１０に止着する機能を有するとともに、飾り台１２０の延出角度θを可変とする機能を有するものであり、本発明における「延出角度可変手段」及び「ネジ部材」を構成する。なお、図３では、本体枠１１０が図中上下方向に延在する状態、すなわち本体枠１１０の延在面が図中上下方向に形成される状態を示しており、またこの本体枠１１０の延在面に対する飾り台１２０の延出角度θが、ほぼ９０度の状態を示している。
【００２５】
ここで、上記飾り台１２０の延出角度θの具体的な調節態様を、図４及び図５を参照しながら説明する。図４には、額縁１００を壁に吊るして使用する場合における当該額縁１００の断面構造が示され、図５には、額縁１００を壁に立て掛けて使用する場合における当該額縁１００の断面構造が示される。
【００２６】
上記構成の額縁１００を、鉛直面を形成する壁１７０に吊るして使用する場合、図４に示すように、本体枠１１０の下縁部を下部取付け具１７３に引っ掛けるとともに、当該本体枠１１０の吊り具１１９と、壁１７０の上部取付け具１７２との間に紐状部材１７４を介在させる。これにより、額縁１００は、壁１７０の鉛直面に対し若干前倒しの状態で設置される。このような場合には、ネジ部材１２８を操作することによって、飾り台１２０の延出角度θを調節する。具体的には、図３に示す状態を基準にした場合、ネジ部材１２８を図３中の矢印１０方向へネジ込むネジ込み操作（ネジ込み動作）によって、この延出角度θが９０度よりも小さくなるように調節する。これにより、飾り台１２０は、壁１７０の鉛直面に対しほぼ直角となるように水平が維持され、額縁１００を壁１７０に吊るして使用する場合であっても、飾り台１２０の載置面１２０ａに飾り付ける装飾物を安定的に載置することが可能とされる。
【００２７】
一方、上記構成の額縁１００を、鉛直面を形成する壁１７０に立て掛けて使用する場合、図５に示すように、額縁１００は、壁１７０の鉛直面に対し若干後倒しの状態で設置される。このような場合には、ネジ部材１２８を操作することによって、飾り台１２０の延出角度θを調節する。具体的には、図３に示す状態を基準にした場合、ネジ部材１２８を図３中の矢印２０方向へネジ戻すネジ戻し操作（ネジ戻し動作）によって、この延出角度θが９０度よりも大きくなるように調節する。これにより、飾り台１２０は、壁１７０の鉛直面に対しほぼ直角となるように水平が維持され、額縁１００を壁１７０に立て掛けて使用する場合であっても、飾り台１２０の載置面１２０ａに飾り付ける装飾物を安定的に載置することが可能とされる。
【００２８】
次に、上記扉枠１４０の構成及び作用を図６及び図７を参照しながら説明する。図６には、図１中の額縁１００のＢ−Ｂ線における断面構造を示す図であって、扉枠１４０の開閉扉１４５，１４５が閉鎖された閉鎖状態が示され、図７には、図１中の額縁１００のＢ−Ｂ線における断面構造を示す図であって、扉枠１４０の開閉扉１４５，１４５が開放された開放状態が示される。
【００２９】
図６に示すように、扉枠１４０の各開閉扉１４５は、内側扉部材１４３及び外側扉部材１４４の２つの扉構成部材を、既知の構成のヒンジ部材１４７によって互いに連結した構成を有する。また、枠状部材１４２の枠上部及び枠下部には、左右方向に延在する第１係合溝１４２ａが形成され、その両端部の限られた範囲に第２係合溝１４２ｂが形成されている。第１係合溝１４２ａは、内側扉部材１４３の上部及び下部において突出する第１突出片１４３ａが係合する（嵌まり込む）係合溝として構成される。従って、第１係合溝１４２ａ内における第１突出片１４３ａの左右方向の移動が許容されることとなる。一方、第２係合溝１４２ｂは、外側扉部材１４４の上部及び下部において突出する第２突出片１４４ａが係合する（嵌まり込む）係合溝として構成される。従って、第２係合溝１４２ｂ内における第２突出片１４４ａの移動が、第１係合溝１４２ａの両端部の限られた範囲内で許容されることとなる。
【００３０】
そして、開閉扉１４５，１４５は、図６に示す閉鎖状態において、右側の取っ手１４６が矢印３０方向へ引っ張られ、また左側の取っ手１４６が矢印３２方向へ引っ張られることによって、図７中の二点鎖線で示す中間状態を経て、図７中の実線で示す開放状態を形成する。この過程において、各開閉扉１４５の内側扉部材１４３は、第１突出片１４３ａが第１係合溝１４２ａ内を外方へ移動することによって外側扉部材１４４側へと移動する。かくして、各開閉扉１４５は、ヒンジ部材１４７を介して内側扉部材１４３及び外側扉部材１４４の裏面同士が近接するように折り畳まれ、開放状態を形成することとなる。
【００３１】
以上のように、本実施の形態の額縁１００を用いれば、その設置形態によらず、装飾物１８０によって展示物１５１を効果的に装飾することが可能となる。具体的には、額縁１００を壁に吊るして使用したり、壁に立て掛けて使用することが想定される場合であっても、ネジ部材１２８の調節によって飾り台１２０の載置面１２０ａの水平度合いを調節し、これにより載置面１２０ａの水平を維持することができる。また、額縁１００を壁に吊るして使用する際、その吊るし方や吊るし場所によっては本体枠１１０の延在方向が多少変化することがあるが、このような場合であっても、ネジ部材１２８の調節によって載置面１２０ａの水平度合いを調節し、これにより載置面１２０ａの水平を維持することができる。従って、額縁１００の設置形態によらず、水平が維持された飾り台１２０の載置面１２０ａに装飾物１８０を安定的に飾り付けることが可能となる。特に、飾り台１２０の延出角度θを調節するのに、当該飾り台１２０を止着するネジ部材１２８を用いることによって、飾り台１２０の延出角度可変手段の構造が簡素化されることとなり合理的である。
また、本実施の形態の額縁１００は、展示物の前面側を閉鎖した状態と開放した状態に設定可能な開閉扉１４５，１４５を備えるため、展示を必要とする場合と必要としない場合が想定されるような展示物を納めるような場合に特に効果的である。
【００３２】
なお、本発明は、上記実施の形態で説明した構成に限定されず種々の変更、追加、削除が可能である。
【００３３】
上記実施の形態の額縁１００では、ネジ部材１２８のネジ込み操作又はネジ戻し操作によって飾り台１２０の延出角度θが可変とされる場合について記載したが、本発明では、飾り台１２０の延出角度θを可変とする構成は、必要に応じて適宜変更可能である。一例として、飾り台が、いわゆるラチェット式ギアと称呼されるギア機構を介して回転動作可能とされ、飾り台を回転動作させるにつれて飾り台の延出角度θが所望の角度に定まるような構成を採用することもできる。また、その他の構成として、飾り台を、本体枠側に形成された複数の差込み部に差込み可能としたうえで、当該飾り台の差込み箇所を変えることによって飾り台の延出角度が変更されるような構成を用いることもできる。
【００３４】
また、上記実施の形態の額縁１００では、ネジ部材１２８が、本体枠１１０の枠下部に形成された螺合孔１１６に下向きに螺合する構成について記載したが、本発明では別の構成を用いることもできる。具体的には、挿入片１２２の貫通孔１２２ａにかえて、ネジ部材１２８が螺合可能な貫通状の螺合孔を設けたうえで、当該螺合孔の挿入片下面側からネジ部材１２８を螺合させる。また、ネジ部材１２８を、その先端部が挿入片１２２の上面側に突出するようにネジ込むとともに、この突出部分の先端が本体枠１１０側の被当接部に当接するように構成する。このような構成において、ネジ部材１２８のネジ込み操作又はネジ戻し操作を行うと、当該ネジ部材１２８の突出部分の突出長さが可変とされ、本体枠１１０側の被当接部と挿入片１２２との間の距離が変わる。従って、このような構成であっても、上記実施の形態と同様に、ネジ部材１２８のネジ込み操作又はネジ戻し操作によって、飾り台１２０は回動支点１１４を中心に上方または下方に回転動作し、本体枠１１０の延在面に対する飾り台１２０の延出角度を調節することが可能となる。
【００３５】
また、上記実施の形態では、ネジ部材１２８及び螺合孔１１６が互いに螺合する構成について記載したが、本発明では、ネジ部材１２８にかえて、本体枠１１０に直接的にネジ込まれるネジ釘を用いることもできる。
【００３６】
また、上記実施の形態の額縁１００では、内側扉部材１４３及び外側扉部材１４４の２つの扉構成部材がヒンジ部材１４７によって互いに連結された構成の開閉扉１４５について記載したが、本発明では、扉構成部材の数は限定されず、２つ以上の扉構成部材を用いて開閉扉を構成することができる。
【００３７】
また、上記実施の形態の額縁１００では、開閉扉１４５，１４５の両方が左右両開きとなる折り畳み式扉について記載したが、本発明では、開閉扉の構成につき種々の形態を採り得る。一例として、図８〜図１０において後述するスライド式の開閉扉や、扉部材が所定の回動支点を中心に回転動作することによって開閉が行われる片開き式や観音開き式の回転式扉や、扉部材の巻き取り動作または巻き戻し動作によって開閉が行われる巻き取り式扉（いわゆる、「ロールアップスクリーン」と称呼されるような遮光部材を用いた扉）を採用することもできる。
【００３８】
ここで、別の実施の形態の額縁２００の構成及び動作を、図８〜図１０を参照しながら説明する。図８には、本発明の「額縁」の別の実施の形態である額縁２００の正面図が示され、図９には、図８中の額縁２００のＣ−Ｃ線における断面構造を示す図であって、扉枠２４０の開閉扉２４５，２４５が閉鎖された閉鎖状態が示され、図１０には、図８中の額縁２００のＣ−Ｃ断面における断面構造を示す図であって、扉枠２４０の開閉扉２４５，２４５が開放された開放状態が示される。なお、額縁２００は、扉枠２４０以外の構成要素には上記実施の形態の額縁１００と同様の構成を有するため、ここでは扉枠２４０についてのみ説明するものとし、他の構成要素についての説明は省略する。
【００３９】
図８及び図９に示すように、額縁２００の扉枠２４０は、枠状部材２４２に左右両開き式の開閉扉２４５，２４５を備える。この開閉扉２４５，２４５が、本発明における「開閉扉」に対応している。各開閉扉２４５は、複数（図９では９つ）の扉構成片２４３を連結紐２４７によって互いに連結した構成を有する。また、枠状部材２４２の枠上部及び枠下部には、左右方向に延在する係合溝２４２ａが形成されている。係合溝２４２ａは、各扉構成片２４３の上端部及び下端部が係合する（嵌まり込む）係合溝として構成される。従って、係合溝２４２ａ内における各扉構成片２４３の左右方向の移動が許容されることとなる。また、係合溝２４２ａの左右外方には、扉構成片２４３を収容可能な収容空間２４２ｂが形成されており、扉構成片２４３はこの収容空間２４２ｂにおいて折り畳まれるか、あるいは軸状部材の周りに巻き取られるように構成されている。
【００４０】
そして、開閉扉２４５，２４５は、図９に示す閉鎖状態において、右側の取っ手２４６が矢印４０方向へ引っ張られ、また左側の取っ手２４６が矢印４２方向へ引っ張られることによって、図１０中の二点鎖線で示す中間状態を経て、図１０中の実線で示す開放状態を形成する。この過程において、各開閉扉２４５の各扉構成片２４３は、係合溝２４２ａ内を外方へ移動し、外方に配置されているものから順に収容空間２４２ｂに入り込む。かくして、各開閉扉２４５は、扉構成片２４３が全て収容空間２４２ｂに収容されることによって、開放状態を形成することとなる。このような構成の開閉扉２４５，２４５は、上記実施の形態の開閉扉１４５，１４５と同様に、展示を必要とする場合と必要としない場合が想定されるような展示物を額縁に納めるような場合に、特に効果的に使用される。
【図面の簡単な説明】
【００４１】
【図１】本発明の「額縁」の一実施の形態である額縁１００の正面図である。
【図２】図１中の額縁１００の分解斜視図である。
【図３】図１中の額縁１００のＡ−Ａ線における断面構造を示す図である。
【図４】額縁１００を壁に吊るして使用する場合における当該額縁１００の断面構造を示す図である。
【図５】額縁１００を壁に立て掛けて使用する場合における当該額縁１００の断面構造を示す図である。
【図６】図１中の額縁１００のＢ−Ｂ線における断面構造を示す図であって、扉枠１４０の開閉扉１４５，１４５が閉鎖された閉鎖状態を示す。
【図７】図１中の額縁１００のＢ−Ｂ線における断面構造を示す図であって、扉枠１４０の開閉扉１４５，１４５が開放された開放状態を示す。
【図８】本発明の「額縁」の別の実施の形態である額縁２００の正面図である。
【図９】図８中の額縁２００のＣ−Ｃ線における断面構造を示す図であって、扉枠２４０の開閉扉２４５，２４５が閉鎖された閉鎖状態を示す。
【図１０】図８中の額縁２００のＣ−Ｃ断面における断面構造を示す図であって、扉枠２４０の開閉扉２４５，２４５が開放された開放状態を示す。
【符号の説明】
【００４２】
１００  額縁
１１０  本体枠
１１２  本体枠開口
１１４  回動支点
１１６  螺合孔
１１８  止め具
１１９  吊り具
１２０  飾り台
１２０ａ  載置面
１２２  挿入片
１２２ａ  貫通孔
１２４  凹み部
１２８  ネジ部材
１３０  内枠
１３２  内枠開口
１３４  切り欠き部
１４０  扉枠
１４２  枠状部材
１４２ａ  第１係合溝
１４２ｂ  第２係合溝
１４３  内側扉部材
１４３ａ  第１突出片
１４４  外側扉部材
１４４ａ  第２突出片
１４５  開閉扉
１４６  取っ手
１４７  ヒンジ部材
１５０  展示物保持板
１５１  展示物
１６０  裏板
１７０  壁
１７２  上部取付け具
１７３  下部取付け具
１７４  紐状部材
１８０  装飾物
２００  額縁
２４０  扉枠
２４２  枠状部材
２４２ａ  係合溝
２４２ｂ  収容空間
２４３  扉構成片
２４５  開閉扉
２４７  連結紐
【図１】
2006026090.tif 000003
【図２】
2006026090.tif 000004
【図３】
2006026090.tif 000005
【図４】
2006026090.tif 000006
【図５】
2006026090.tif 000007
【図６】
2006026090.tif 000008
【図７】
2006026090.tif 000009
【図８】
2006026090.tif 000010
【図９】
2006026090.tif 000011
【図１０】
2006026090.tif 000012